(57)【特許請求の範囲】
【請求項１】
物体側より順に、負の屈折力を有する第１レンズ群、正の屈折力を有する第２レンズ群、負の屈折力を有する第３レンズ群、正の屈折力を有する第４レンズ群とからなり、
前記第１レンズ群は、物体側より順に、負のメニスカスレンズと、入射光を反射して光路を曲げる反射部材と、正レンズと、負レンズとから構成されるとともに、ズーミングを行う際に固定され、
前記第２レンズ群と前記第３レンズ群は、広角端から望遠端へのズーミングを行う際に、物体側にのみ移動することを特徴とするズームレンズ。
【請求項２】
広角端から望遠端へのズーミングを行う際に、前記第２及び第３レンズ群が一体で物体側へ移動し、前記第４レンズ群は像面側へ移動した後に物体側へ移動することを特徴とする請求項１記載のズームレンズ。
【請求項３】
前記第２レンズ群は、物体側より順に、正レンズ、負レンズを配列した２枚のレンズからなり、前記第３レンズ群は負レンズからなることを特徴とする請求項２記載のズームレンズ。
【請求項４】
前記第４レンズ群は、１枚の正レンズからなることを特徴とする請求項２又は３記載のズームレンズ。
【請求項５】
前記第１レンズ群に少なくとも１つの非球面を有することを特徴とする請求項２ないし４のいずれか１項に記載のズームレンズ。
【請求項６】
前記第２レンズ群及び前記第３レンズ群に、少なくとも１つの非球面を有することを特徴とする請求項２ないし４のいずれか１項に記載のズームレンズ。
【請求項７】
前記第４レンズ群に少なくとも１つの非球面を有することを特徴とする請求項２ないし６のいずれか１項に記載のズームレンズ。
【請求項８】
前記第４レンズ群は、合成樹脂から形成された非球面レンズであることを特徴とする請求項７記載のズームレンズ。
【請求項９】
前記第４レンズ群でフォーカシングを行うことを特徴とする請求項１ないし８のいずれか１項に記載のズームレンズ。
【請求項１０】
広角端から望遠端へのズーミングを行う際に、前記第２レンズ群と前記第３レンズ群とが異なる軌跡でそれぞれ物体側へ移動し、前記第４レンズ群が固定されていることを特徴とする請求項１記載のズームレンズ。
【請求項１１】
前記第２レンズ群は、物体側より順に、正レンズと負レンズの２枚のレンズからなることを特徴とする請求項１又は１０記載のズームレンズ。
【請求項１２】
前記第３レンズ群は、１枚の負レンズからなることを特徴とする請求項１，請求項１０又は１１のいずれか１項に記載のズームレンズ。
【請求項１３】
前記第４レンズ群は、１枚の正レンズからなることを特徴とする請求項１，請求項１０ないし１２のいずれか１項に記載のズームレンズ。
【請求項１４】
前記第１レンズ群と前記第２レンズ群は、それぞれ少なくとも１つの非球面を有することを特徴とする請求項１，請求項１０ないし１４のいずれか１項に記載のズームレンズ。
【請求項１５】
前記第３レンズ群に少なくとも１つの非球面を有することを特徴とする請求項１，請求項１０ないし１４のいずれか１項に記載のズームレンズ。
【請求項１６】
前記第３レンズ群又は前記第４レンズ群でフォーカシングを行うことを特徴とする請求項１，請求項１０ないし１５のいずれか１項に記載のズームレンズ。
【請求項１７】
前記第１レンズ群は、前記反射部材よりも物体側の負レンズのアッベ数をν１，前記反射部材よりも像面側の正レンズと負レンズのアッベ数をそれぞれν３，ν４とした時に、
ν１＞４０
ν４−ν３＞１３
を満足することを特徴とする請求項１ないし１６のいずれか１項に記載のズームレンズ。
【発明の詳細な説明】
【技術分野】
【０００１】
本発明は、光軸を直角に屈曲させた屈曲光学系からなるズームレンズに関する。
【背景技術】
【０００２】
デジタルスチルカメラの普及とともに携帯電話機にカメラモジュールを搭載したカメラ付き携帯電話機が普及している。携帯電話機用のカメラモジュールは、年々高機能化され、撮影解像度の向上及び画像処理速度の向上が図られている。携帯電話機のカメラモジュールは小型であることが重要であり、従来ではピント調節機構等の不要なパンフォーカスタイプの撮影レンズが使用されている。
【０００３】
カメラモジュールの更なる高機能化を図るために、ズームレンズを内蔵することが検討されているが、カメラモジュールの厚さの増大を抑える全長の短いズームレンズを実現することが困難である。例えば、ズームレンズを保持するレンズ鏡胴を沈胴式にすることで不使用時のレンズ全長を短縮することを考慮しても、ズームレンズの全長を個々のレンズの厚さの総和よりも短くすることはできない。そこで、撮影レンズの中に直角プリズム等の反射部材を設け、光路を直角に折り曲げることにより、ズームレンズの前後方向の幅をレンズの直径とほぼ同じにした光学系が知られている（特許文献１〜３参照）。これらのズームレンズは、プリズムを含む最も物体側のレンズ群が変倍時に固定されており、携帯電話機用のカメラモジュールとして好適なコンパクトさを有している。
【特許文献１】特開２００３−３０２５７５号公報
【特許文献２】特開２００４−２９５０７５号公報
【特許文献３】特開２０００−１３１６１０号公報
【発明の開示】
【発明が解決しようとする課題】
【０００４】
しかしながら、特許文献１に記載のズームレンズは、レンズ枚数を比較的少なくして低コスト化を図っており、ズーム比が二倍程度と小さい欠点がある。特許文献２に記載のズームレンズは、レンズ枚数を大幅に少なくする代償として、プリズムの入射面や射出面を球面状に形成しており、プリズムの加工が難しく、製造に手間がかかるという問題がある。特許文献３に記載のズームレンズは、三倍のズーム比を有しているが、レンズ枚数が多いためにコストが高いという欠点がある。
【０００５】
本発明は、上記問題点を考慮してなされたもので、光路中に反射部材を設け、光路を折り曲げることでコンパクトな構成を実現でき、少ないレンズ枚数で三倍のズーム比が得られる高性能なズームレンズを提供することを目的とする。
【課題を解決するための手段】
【０００６】
上記目的を達成するために、請求項１に記載のズームレンズは、物体側より順に、負の屈折力を有する第１レンズ群、正の屈折力を有する第２レンズ群、負の屈折力を有する第３レンズ群、正の屈折力を有する第４レンズ群とからなり、前記第１レンズ群はズーミングを行う際に固定され、物体側より順に、負のメニスカスレンズと、入射光を反射して光路を曲げる反射部材と、正レンズと、負レンズとから構成され、前記第２レンズ群と前記第３レンズ群は、広角端から望遠端へのズーミングを行う際に、物体側にのみ移動することを特徴とすることを特徴とする。
【０００７】
また、請求項２に記載のズームレンズは、ズーミングを行う際に、前記第２及び第３レンズ群が一体で物体側へ移動し、前記第４レンズ群は像面側へ移動した後に物体側へ移動することを特徴とする。
【０００８】
また、請求項３に記載のズームレンズは、前記第２レンズ群が物体側より順に、正レンズ、負レンズを配列した２枚のレンズからなり、前記第３レンズ群は負レンズからなることを特徴とする。
【０００９】
請求項４に記載のズームレンズは、前記第４レンズ群が１枚の正レンズからなることを特徴とする。
【００１０】
請求項５ないし７に記載のズームレンズは、前記第１レンズ群〜前記第３レンズ群がそれぞれ少なくとも１つの非球面を有することを特徴とする。
【００１１】
請求項８に記載のズームレンズは、前記第４レンズ群の非球面レンズが合成樹脂から形成されていることを特徴とする。
【００１３】
請求項９記載のズームレンズは、前記第４レンズ群でフォーカシングを行うことを特徴とする。
【００１４】
請求項１０記載のズームレンズは、ズーミングを行う際に、前記第２レンズ群と前記第３レンズ群とが異なる軌跡でそれぞれ物体側へ移動し、前記第４レンズ群が固定されていることを特徴とする。
【００１５】
請求項１１記載のズームレンズは、前記第２レンズ群が物体側より順に正レンズと負レンズの２枚のレンズからなることを特徴とする。
【００１７】
請求項１２記載のズームレンズは、前記第３レンズ群が１枚の負レンズからなることを特徴とする。
【００１８】
請求項１３記載のズームレンズは、前記第４レンズ群が１枚の正レンズからなることを特徴とする。
【００１９】
請求項１４記載のズームレンズは、前記第１レンズ群と前記第２レンズ群がそれぞれ少なくとも１つの非球面を有することを特徴とする。
【００２０】
請求項１５記載のズームレンズは、前記第３レンズ群に少なくとも１つの非球面を有することを特徴とする。
【００２３】
請求項１６記載のズームレンズは、前記第３レンズ群又は前記第４レンズ群でフォーカシングを行うことを特徴とする。
【００２４】
請求項１７記載のズームレンズは、前記第１レンズ群が、前記反射部材よりも物体側の負レンズのアッベ数をν１，前記反射部材よりも像側の正レンズと負レンズのアッベ数をそれぞれν３，ν４とした時に、
ν１＞４０
ν４−ν３＞１３
を満足することを特徴とする。
【発明の効果】
【００２５】
本発明によれば、レンズ枚数が比較的少なく、ズーム比が約三倍のコンパクトなズームレンズを得ることができる。特に、非球面を効果的に配置することにより、レンズ枚数の少ないコンパクトな構成にもかかわらず、諸収差、特に非点収差、歪曲、球面収差が高精度に補正される。また、第１群の反射部材よりも像側に、正レンズと負レンズを順に配置しているから、負レンズ、正レンズの順に配置する場合と比べ、正レンズによる収束作用により負レンズの直径を約５％小さくすることができる。物体側に位置する第１群の各レンズは、他のレンズ群に比べてレンズの平均的な直径が最も大きくなるが、反射部材の像側に位置する正レンズと負レンズの直径は、ズームレンズの前後方向の幅を決めるものであるため、これを約５％小さくすることによる影響は大きく、ズームレンズを効果的に小型化できる。
【００２６】
また、第１群のレンズのアッベ数を決める条件式によれば、広角端での倍率色収差及び望遠端での軸上色収差を良好に補正することできる。また、第１群と第２群の屈折力の関係を決める条件式により、収差を良好に補正でき、第１レンズ群と第２レンズ群の小型化を実現することができる。フォーカシングで移動させるレンズ群を１枚のレンズで構成することにより、移動レンズが軽くなり、フォーカシングの高速化を図ることができる。
【発明を実施するための最良の形態】
【００２７】
（実施例１）
図１及び図２において、ズームレンズ１０は、物体側より順に、負の屈折力を有する第１レンズ群Ｇ１１、正の屈折力を有する第２レンズ群Ｇ１２，負の屈折力を有する第３レンズ群Ｇ１３、正の屈折力を有する第４レンズ群Ｇ１４を備えている。広角端から望遠端へのズーミング時には、第２レンズ群Ｇ１２と第３レンズ群Ｇ１３は物体側へ一体となって移動し、第４レンズ群Ｇ１４は、これとは軌跡が異なり、像側へ移動した後に物体側へ移動する。フォーカシング時には第４レンズ群Ｇ１４が光軸方向へ移動する。第１レンズ群Ｇ１１は、ズーミング時、フォーカス時にともに固定されている。第１レンズ群Ｇ１１と第２レンズ群Ｇ１２の間には絞りＳＴが設けられ、絞りＳＴは第２レンズ群Ｇ１２と一体となって移動する。ズームレンズ１０のレンズデータは以下の表１に示す通りである。
【００２８】
【表１】
0004823630.tif 000002
【００２９】
第１レンズ群Ｇ１１は、物体側より順に、像側に凹面を向けたメニスカスの負レンズ１１と、入射光を反射してその光路を直角に曲げる直角プリズム１２と、物体側に凸面を向けたメニスカスの正レンズ１３と、両凹の負レンズ１４とから構成されている。なお、図２における直角プリズム１２は、その光路長と等価な平行平面板として表している。第２レンズ群Ｇ１２は、両凸の正レンズ１５と物体側に凹面を向けたメニスカスの負レンズ１６との接合レンズからなる。第３レンズ群Ｇ１３は、像側に凹面を向けたメニスカスの負レンズ１７からなる。第４レンズ群Ｇ１４は、物体側に凸面を向けたメニスカスの正レンズ１８からなる。
【００３０】
第１レンズ群Ｇ１１の焦点距離をｆ１、第２レンズ群Ｇ１２と第３レンズ群Ｇ１３の合成焦点距離をｆ２３、広角端での全系の合成焦点距離をｆｗとした時、
ｆ１＝−１１．７１ｍｍ
ｆ２３＝１２．６４ｍｍ
ｆｗ＝６．２５ｍｍ
であり、
１．５＜｜ｆ１／ｆｗ｜＝１．８７＜２．５
１．５＜ｆ２３／ｆｗ＝２．０２＜２．５
となるから、ズームレンズ１０は請求項９の条件式を満たす。また、第１レンズ群Ｇ１１の負レンズ１１のアッベ数をν１、正レンズ１３のアッベ数をν３、負レンズ１４のアッベ数をν４としたとき、
ν１＝４０．４＞４０
ν４−ν３＝４２．７−１８．９＝２３．８＞１３
であり、請求項２１の条件式を満たす。
【００３１】
負レンズ１１の両面（第１面、第２面）と、負レンズ１７の両面（第１３面、第１４面）と、正レンズ１８の両面（第１５面、第１６面）は非球面に形成されている。なお、正レンズ１８は、合成樹脂から形成されたプラスチック非球面レンズである。各非球面は以下の式により表され、これは他の実施例についても同様である。以下の表２に非球面係数を示す。また、図３に広角端、中間、望遠端における各収差図を示す。
【００３２】
【数１】
0004823630.tif 000003
【００３３】
【表２】
0004823630.tif 000004
【００３４】
（実施例２）
図４において、ズームレンズ２０は、物体側より順に、負・正・負・正の屈折力をそれぞれ有する第１レンズ群Ｇ２１、第２レンズ群Ｇ２２、第３レンズ群Ｇ２３、第４レンズ群Ｇ２４を備えている。広角端から望遠端へのズーミング時には、第２レンズ群Ｇ２２と第３レンズ群Ｇ２３は物体側へ一体となって移動し、第４レンズ群Ｇ２４はこれとは軌跡が異なり、像側へ移動した後に物体側へ移動する。フォーカシング時には第４レンズ群Ｇ２４が光軸方向へ移動する。第１レンズ群Ｇ２１は、ズーミング時、フォーカス時にともに固定されている。第１レンズ群Ｇ２１と第２レンズ群Ｇ２２の間には絞りＳＴが設けられ、絞りＳＴは第２レンズ群Ｇ２２と一体となって移動する。表３にズームレンズ２０のレンズデータを示す。
【００３５】
【表３】
0004823630.tif 000005
【００３６】
第１レンズ群Ｇ２１は、物体側より順に、像側に凹面を向けたメニスカスの負レンズ２１と、直角プリズム２２と、物体側に凸面を向けたメニスカスの正レンズ２３と、両凹の負レンズ２４とから構成されている。第２レンズ群Ｇ２２は、両凸の正レンズ２５と物体側に凹面を向けたメニスカスの負レンズ２６との接合レンズからなる。第３レンズ群Ｇ２３は、像側に凹面を向けたメニスカスの負レンズ２７からなる。第４レンズ群Ｇ２４は、物体側に凸面を向けたメニスカスの正レンズ２８からなる。
【００３７】
第１レンズ群Ｇ２１の焦点距離をｆ１、第２レンズ群Ｇ２２と第３レンズ群Ｇ２３の合成焦点距離をｆ２３、広角端での全系の合成焦点距離をｆｗとした時、
ｆ１＝−１１．６１ｍｍ
ｆ２３＝１２．５５ｍｍ
ｆｗ＝６．２５ｍｍ
であり、
１．５＜｜ｆ１／ｆｗ｜＝１．８６＜２．５
１．５＜ｆ２３／ｆｗ＝２．０１＜２．５
となるから、ズームレンズ２０は請求項９の条件式を満たす。また、第１レンズ群Ｇ２１の負レンズ２１のアッベ数をν１、正レンズ２３のアッベ数をν３、負レンズ２４のアッベ数をν４としたとき、
ν１＝４０．４＞４０
ν４−ν３＝４２．７−２０．９＝２１．８＞１３
であり、請求項２１の条件式を満たす。
【００３８】
負レンズ２１の両面（第１面、第２面）と、負レンズ２７の両面（第１３面、第１４面）と、正レンズ２８の両面（第１５面、第１６面）は非球面である。正レンズ２８は、合成樹脂から形成されたプラスチック非球面レンズである。以下の表４に非球面係数を示す。また、図５には広角端、中間、望遠端における各収差図を示す。
【００３９】
【表４】
0004823630.tif 000006
【００４０】
（実施例３）
図６において、ズームレンズ３０は、物体側より順に、負・正・負・正の屈折力をそれぞれ有する第１レンズ群Ｇ３１、第２レンズ群Ｇ３２、第３レンズ群Ｇ３３、第４レンズ群Ｇ３４を備えている。広角端から望遠端へのズーミング時には、第２レンズ群Ｇ３２と第３レンズ群Ｇ３３は物体側へ一体となって移動し、第４レンズ群Ｇ３４はこれとは軌跡が異なり、像側へ移動した後に物体側へ移動する。フォーカシング時には第４レンズ群Ｇ３４が光軸方向へ移動する。第１レンズ群Ｇ３１は、ズーミング時、フォーカス時にともに固定されている。第１レンズ群Ｇ３１と第２レンズ群Ｇ３２の間には絞りＳＴが設けられ、絞りＳＴは第２レンズ群Ｇ３２と一体となって移動する。表５にズームレンズ３０のレンズデータを示す。
【００４１】
【表５】
0004823630.tif 000007
【００４２】
第１レンズ群Ｇ３１は、物体側より順に、像側に凹面を向けたメニスカスの負レンズ３１と、直角プリズム３２と、物体側に凸面を向けたメニスカスの正レンズ３３と、物体側に凹面を向けたメニスカスの負レンズ３４とから構成されている。第２レンズ群Ｇ３２は、両凸の正レンズ３５と物体側に凹面を向けたメニスカスの負レンズ３６とからなる。第３レンズ群Ｇ３３は、像側に凹面を向けたメニスカスの負レンズ３７からなる。第４レンズ群Ｇ３４は、物体側に凸面を向けたメニスカスの正レンズ３８からなる。
【００４３】
第１レンズ群Ｇ３１の焦点距離をｆ１、第２レンズ群Ｇ３２と第３レンズ群Ｇ３３の合成焦点距離をｆ２３、広角端での全系の合成焦点距離をｆｗとした時、
ｆ１＝−１０．４７ｍｍ
ｆ２３＝１３．２０ｍｍ
ｆｗ＝６．２６ｍｍ
であり、
１．５＜｜ｆ１／ｆｗ｜＝１．６７＜２．５
１．５＜ｆ２３／ｆｗ＝２．１１＜２．５
となるから、ズームレンズ３０は請求項９の条件式を満たす。また、第１レンズ群Ｇ３１の負レンズ３１のアッベ数をν１、正レンズ３３のアッベ数をν３、負レンズ３４のアッベ数をν４としたとき、
ν１＝４０．４＞４０
ν４−ν３＝４２．７−１８．９＝２３．８＞１３
であり、請求項２１の条件式を満たす。
【００４４】
負レンズ３１の両面（第１面、第２面）と、正レンズ３５の両面（第１０面、第１１面）と、正レンズ３８の両面（第１６面、第１７面）は非球面である。正レンズ３８は、合成樹脂から形成されたプラスチック非球面レンズである。以下の表６に非球面係数を示す。また、図７には広角端、中間、望遠端における各収差図を示す。
【００４５】
【表６】
0004823630.tif 000008
【００４６】
（実施例４）
図８において、ズームレンズ４０は、物体側より順に、負・正・負・正の屈折力をそれぞれ有する第１レンズ群Ｇ４１、第２レンズ群Ｇ４２，第３レンズ群Ｇ４３、第４レンズ群Ｇ４４を備えている。広角端から望遠端へのズーミング時には、第２レンズ群Ｇ４２と第３レンズ群Ｇ４３がそれぞれ異なる軌跡で物体側へ移動する。フォーカシング時には第４レンズ群Ｇ４４が光軸方向へ移動する。なお、本実施例は第３レンズ群Ｇ４３によるフォーカシングも可能である。第１レンズ群Ｇ４１と第４レンズ群Ｇ４４は、ズーミング時にともに固定されている。第１レンズ群Ｇ４１と第２レンズ群Ｇ４２の間には絞りＳＴが設けられ、絞りＳＴは第２レンズ群Ｇ４２と一体となって移動する。ズームレンズ４０のレンズデータを以下の表７に示す。
【００４７】
【表７】
0004823630.tif 000009
【００４８】
第１レンズ群Ｇ４１は、物体側より順に、像側に凹面を向けたメニスカスの負レンズ４１と、直角プリズム４２と、像側に凸面を向けたメニスカスの正レンズ４３と、両凹の負レンズ４４とから構成されている。第２レンズ群Ｇ４２は、両凸の正レンズ４５と、物体側に凹面を向けたメニスカスの負レンズ４６とからなる。第３レンズ群Ｇ４３は、像側の凹面のパワーが強い両凹の負レンズ４７からなる。第４レンズ群Ｇ４４は、像側に凸面を向けたメニスカスの正レンズ４８からなる。
【００４９】
第１レンズ群Ｇ４１の焦点距離をｆ１、第２レンズ群Ｇ４２の焦点距離をｆ２、広角端での全系の合成焦点距離をｆｗとした時、
ｆ１＝−９．８０ｍｍ
ｆ２＝８．７７ｍｍ
ｆｗ＝６．２５ｍｍ
であり、
１．３＜｜ｆ１／ｆｗ｜＝１．５７＜２．５
１．０＜ｆ２／ｆｗ＝１．４０＜２．５
であり、請求項１８の条件式を満たす。また、第１レンズ群Ｇ４１の負レンズ４１のアッベ数をν１、正レンズ４３のアッベ数をν３、負レンズ４４のアッベ数をν４とした時、
ν１＝４０．４＞４０
ν４−ν３＝４２．７−２６．５＝１６．２＞１３
であり、請求項２１の条件式を満たす。また、第２レンズ群Ｇ４２の正レンズ４５のアッベ数をν５、負レンズ４６のアッベ数をν６とした時、
ν５−ν６＝８１．５−２３．８＝５７．７＞３５
であり、請求項１３の条件式を満たしている。
【００５０】
負レンズ４１の両面（第１面、第２面）と、正レンズ４５の両面（第１０面、第１１面）と、負レンズ４７の両面（第１４面、第１５面）は非球面に形成されている。各非球面の非球面係数を以下の表８に示す。また、図９に広角端、中間、望遠端における各収差図を示す。
【００５１】
【表８】
0004823630.tif 000010
【００５２】
（実施例５）
図１０において、ズームレンズ５０は、物体側より順に、負・正・負・正の屈折力をそれぞれ有する第１レンズ群Ｇ５１、第２レンズ群Ｇ５２，第３レンズ群Ｇ５３、第４レンズ群Ｇ５４を備えている。広角端から望遠端へのズーミング時には、第２レンズ群Ｇ５２と第３レンズ群Ｇ５３がそれぞれ異なる軌跡で物体側へ移動する。フォーカシング時には第４レンズ群Ｇ５４が光軸方向へ移動する。なお、本実施例は第３レンズ群Ｇ５３によるフォーカシングも可能である。第１レンズ群Ｇ５１と第４レンズ群Ｇ５４は、ズーミング時にともに固定されている。第１レンズ群Ｇ５１と第２レンズ群Ｇ５２の間には絞りＳＴが設けられ、絞りＳＴは第２レンズ群Ｇ５２と一体となって移動する。ズームレンズ５０のレンズデータを以下の表９に示す。
【００５３】
【表９】
0004823630.tif 000011
【００５４】
第１レンズ群Ｇ５１は、物体側より順に、像側に凹面を向けたメニスカスの負レンズ５１と、直角プリズム５２とを備え、直角プリズム５２の像側には、像側に凸面を向けたメニスカスの正レンズ５３と物体側に凹面を向けたメニスカスの負レンズ５４との接合レンズを備えている。第２レンズ群Ｇ５２は、両凸の正レンズ５５と、物体側に凹面を向けたメニスカスの負レンズ５６とからなる。第３レンズ群Ｇ５３は、物体側の凹面のパワーが強い両凹の負レンズ５７からなる。第４レンズ群Ｇ５４は、像側に凸面を向けたメニスカスの正レンズ５８からなる。
【００５５】
第１レンズ群Ｇ５１の焦点距離をｆ１、第２レンズ群Ｇ５２の焦点距離をｆ２、広角端での全系の合成焦点距離をｆｗとした時、
ｆ１＝−１０．５９ｍｍ
ｆ２＝８．８２ｍｍ
ｆｗ＝６．２５ｍｍ
であり、
１．３＜｜ｆ１／ｆｗ｜＝１．６９＜２．５
１．０＜ｆ２／ｆｗ＝１．４１＜２．５
であることから請求項１８の条件式を満たす。また、第１レンズ群Ｇ５１の負レンズ５１のアッベ数をν１、正レンズ５３のアッベ数をν３、負レンズ５４のアッベ数をν４とした時、
ν１＝４０．４＞４０
ν４−ν３＝３７．２−２３．８＝１３．４＞１３
であり、請求項２１の条件式を満たす。また、第２レンズ群Ｇ５２の正レンズ５５のアッベ数をν５、負レンズ５６のアッベ数をν６とした時、
ν５−ν６＝６３．５−２３．８＝３９．７＞３５
であり、請求項１３の条件式を満たしている。
【００５６】
負レンズ５１の両面（第１面、第２面）と、正レンズ５５の両面（第９面、第１０面）と、負レンズ５７の両面（第１３面、第１４面）は非球面に形成されている。各非球面の非球面係数を以下の表１０に示す。また、図１１に広角端、中間、望遠端における各収差図を示す。
【００５７】
【表１０】
0004823630.tif 000012
【００５８】
（実施例６）
図１２において、ズームレンズ６０は、物体側より順に、負・正・負・正の屈折力をそれぞれ有する第１レンズ群Ｇ６１、第２レンズ群Ｇ６２，第３レンズ群Ｇ６３、第４レンズ群Ｇ６４を備えている。広角端から望遠端へのズーミング時には、第２レンズ群Ｇ６２と第３レンズ群Ｇ６３がそれぞれ異なる軌跡で物体側へ移動する。フォーカシング時には第４レンズ群Ｇ６４が光軸方向へ移動する。なお、本実施例は第３レンズ群Ｇ６３によるフォーカシングも可能である。第１レンズ群Ｇ６１と第４レンズ群Ｇ６４は、ズーミング時に固定されている。第１レンズ群Ｇ６１と第２レンズ群Ｇ６２の間には絞りＳＴが設けられ、絞りＳＴは第２レンズ群Ｇ６２と一体となって移動する。ズームレンズ６０のレンズデータを以下の表１１に示す。
【００５９】
【表１１】
0004823630.tif 000013
【００６０】
第１レンズ群Ｇ６１は、物体側より順に、像側に凹面を向けたメニスカスの負レンズ６１と、直角プリズム６２と、像側に凸面を向けたメニスカスの正レンズ６３と、物体側の凹面のパワーが強い両凹の負レンズ６４とから構成されている。第２レンズ群Ｇ６２は、両凸の正レンズ６５と、物体側に凹面を向けたメニスカスの負レンズ６６とからなる。第３レンズ群Ｇ６３は、像側の凹面のパワーが強い両凹の負レンズ６７からなる。第４レンズ群Ｇ６４は、像側に凸面を向けたメニスカスの正レンズ６８からなる。
【００６１】
第１レンズ群Ｇ６１の焦点距離をｆ１、第２レンズ群Ｇ６２の焦点距離をｆ２、広角端での全系の合成焦点距離をｆｗとした時、
ｆ１＝−９．９３ｍｍ
ｆ２＝８．５９ｍｍ
ｆｗ＝６．２５ｍｍ
であり、
１．３＜｜ｆ１／ｆｗ｜＝１．５９＜２．５
１．０＜ｆ２／ｆｗ＝１．３７＜２．５
であることから請求項１８の条件式を満たす。また、第１レンズ群Ｇ６１の負レンズ６１のアッベ数をν１、正レンズ６３のアッベ数をν３、負レンズ６４のアッベ数をν４とした時、
ν１＝４０．４＞４０
ν４−ν３＝４２．７−２６．５＝１６．２＞１３
であり、請求項２１の条件式を満たす。また、第２レンズ群Ｇ６２の正レンズ６５のアッベ数をν５、負レンズ６６のアッベ数をν６とした時、
ν５−ν６＝６３．５−１８．９＝４４．６＞３５
であり、請求項１３の条件式を満たしている。
【００６２】
負レンズ６１の両面（第１面、第２面）と、正レンズ６５の両面（第１０面、第１１面）と、負レンズ６７の両面（第１４面、第１５面）は非球面に形成されている。各非球面の非球面係数を以下の表１２に示す。また、図１３に広角端、中間、望遠端における各収差図を示す。
【００６３】
【表１２】
0004823630.tif 000014
【００６４】
（実施例７）
図１４において、ズームレンズ７０は、物体側より順に、負・正・負・正の屈折力をそれぞれ有する第１レンズ群Ｇ７１、第２レンズ群Ｇ７２，第３レンズ群Ｇ７３、第４レンズ群Ｇ７４を備えている。広角端から望遠端へのズーミング時には、第２レンズ群Ｇ７２と第３レンズ群Ｇ７３がそれぞれ異なる軌跡で物体側へ移動する。フォーカシング時には第４レンズ群Ｇ７４が光軸方向へ移動する。なお、本実施例は第３レンズ群Ｇ７３によるフォーカシングも可能である。第１レンズ群Ｇ７１と第４レンズ群Ｇ７４は、ズーミング時に固定されている。第１レンズ群Ｇ７１と第２レンズ群Ｇ７２の間には絞りＳＴが設けられ、絞りＳＴは第２レンズ群Ｇ７２と一体となって移動する。ズームレンズ７０のレンズデータを以下の表１３に示す。
【００６５】
【表１３】
0004823630.tif 000015
【００６６】
第１レンズ群Ｇ７１は、物体側より順に、像側に凹面を向けたメニスカスの負レンズ７１と、直角プリズム７２と、像側に凸面を向けたメニスカスの正レンズ７３と、物体側の凹面のパワーが強い両凹の負レンズ７４とから構成されている。第２レンズ群Ｇ７２は、両凸の正レンズ７５と、物体側に凹面を向けたメニスカスの負レンズ７６とからなる。第３レンズ群Ｇ７３は、物体側の凹面のパワーが強い両凹の負レンズ７７からなる。第４レンズ群Ｇ７４は、像側に凸面を向けたメニスカスの正レンズ７８からなる。
【００６７】
第１レンズ群Ｇ７１の焦点距離をｆ１、第２レンズ群Ｇ７２の焦点距離をｆ２、広角端での全系の合成焦点距離をｆｗとした時、
ｆ１＝−９．６８ｍｍ
ｆ２＝８．５７ｍｍ
ｆｗ＝６．２５ｍｍ
であり、
１．３＜｜ｆ１／ｆｗ｜＝１．５５＜２．５
１．０＜ｆ２／ｆｗ＝１．３７＜２．５
であることから請求項１８の条件式を満たす。また、第１レンズ群Ｇ７１の負レンズ７１のアッベ数をν１、正レンズ７３のアッベ数をν３、負レンズ７４のアッベ数をν４とした時、
ν１＝４２．７＞４０
ν４−ν３＝４９．６−３１．１＝１８．５＞１３
であり、請求項２１の条件式を満たす。また、第２レンズ群Ｇ７２の正レンズ７５のアッベ数をν５、負レンズ７６のアッベ数をν６とした時、
ν５−ν６＝８１．５−２３．８＝５７．７＞３５
であり、請求項１３の条件式を満たしている。
【００６８】
負レンズ７１の両面（第１面、第２面）と、正レンズ７５の両面（第１０面、第１１面）と、負レンズ７７の両面（第１４面、第１５面）は非球面に形成されている。各非球面の非球面係数を以下の表１４に示す。また、図１５に広角端、中間、望遠端における各収差図を示す。
【００６９】
【表１４】
0004823630.tif 000016
【図面の簡単な説明】
【００７０】
【図１】第１実施例のレンズの配置を示す断面図である。
【図２】第１実施例の広角端及び望遠端での断面図である。
【図３】第１実施例の収差図である。
【図４】第２実施例の広角端及び望遠端での断面図である。
【図５】第２実施例の収差図である。
【図６】第３実施例の広角端及び望遠端での断面図である。
【図７】第３実施例の収差図である。
【図８】第４実施例の広角端及び望遠端での断面図である。
【図９】第４実施例の収差図である。
【図１０】第５実施例の広角端及び望遠端での断面図である。
【図１１】第５実施例の収差図である。
【図１２】第６実施例の広角端及び望遠端での断面図である。
【図１３】第６実施例の収差図である。
【図１４】第７実施例の広角端及び望遠端での断面図である。
【図１５】第７実施例の収差図である。
【符号の説明】
【００７１】
１０，２０，３０，４０，５０，６０，７０  ズームレンズ
Ｇ１１，Ｇ２１，Ｇ３１，Ｇ４１，Ｇ５１，Ｇ６１，Ｇ７１  第１レンズ群
Ｇ１２，Ｇ２２，Ｇ３２，Ｇ４２，Ｇ５２，Ｇ６２，Ｇ７２  第２レンズ群
Ｇ１３，Ｇ２３，Ｇ３３，Ｇ４３，Ｇ５３，Ｇ６３，Ｇ７３  第３レンズ群
Ｇ１４，Ｇ２４，Ｇ３４，Ｇ４４，Ｇ５４，Ｇ６４，Ｇ７４  第４レンズ群
【図１】
0004823630.tif 000017
【図２】
0004823630.tif 000018
【図３】
0004823630.tif 000019
【図４】
0004823630.tif 000020
【図５】
0004823630.tif 000021
【図６】
0004823630.tif 000022
【図７】
0004823630.tif 000023
【図８】
0004823630.tif 000024
【図９】
0004823630.tif 000025
【図１０】
0004823630.tif 000026
【図１１】
0004823630.tif 000027
【図１２】
0004823630.tif 000028
【図１３】
0004823630.tif 000029
【図１４】
0004823630.tif 000030
【図１５】
0004823630.tif 000031